(57)【要約】【課題】冊子を印刷する際における上下に対する歪みを小さくし、また、中央付近で左右のページでの影の出方が変化するのを防止する。【解決手段】原稿台１の縦ａと横ｂの辺のうち長い方の辺ｂに垂直な方向Ａで駆動する走行体２を有し冊子等、中綴じの原稿でも上下端に対して伸縮の程度を少なくして画像を取り込めるようにする。【選択図】　　　図１
2004037673.tif 000002
【特許請求の範囲】
【請求項１】
原稿を載置する原稿台と、原稿台の縦辺と横辺のうち長い方の辺と直交する方向に移動する走行体と、を有し、原稿台上にセットした冊子原稿を読取る場合においても縦方向への伸縮の程度を少なくして画像を取り込めるようにしたことを特徴とするスキャナ。
【請求項２】
原稿台上に着脱可能な山形の突起部材を備え、冊子原稿を読取る際は原稿台上に載置した突起部材の頂部を冊子原稿の綴じ代部分に沿ってセットして走行体を走査することにより、冊子原稿の中央部分のページのたるみを軽減して中央付近の画像情報を得ることを可能にしたことを特徴とする請求項１のスキャナ。
【請求項３】
請求項２の突起部材は、前記原稿台下面に設けた収納部内から突出入可能に支持され、
収納部内における突起部材の有無を検知するセンサと、該センサからの検知信号によって冊子モードであるか通常モードであるかを判断する制御部と、を備え、
該制御部は、冊子モードの際は冊子原稿の中央付近でスキャンしたデータを画像処理にて伸長、フィルタ処理を行い、後続の画像処理部へ渡すようにしたことを特徴とするスキャナ。
【発明の詳細な説明】
【０００１】
【発明の属する技術分野】
本発明は、画像読取りを行うスキャナに関するもので、複写機に応用できる技術に関する。
【０００２】
【従来の技術】
本発明の従来技術として、特開平６−３３４８４０号公報が存在する。従来の一般的な複写機は、図９に示すように、複写機本体３の原稿台（コンタクトガラス）１の直下にスキャナを構成する走行体２を備えており、走行体２は原稿台１の縦辺ａと横辺ｂのうちの長い方の横辺ｂに沿う方向Ｂに駆動される。走行体２は、例えば光源、ミラー等から成る。４は原稿台１の上部に開閉可能に備えた蓋である。
【０００３】
【発明が解決しようとする課題】
上記従来装置においては、図１０に示すように冊子状の原稿Ｄのページ面を印刷する際、中央の綴じ代部分が原稿台１のコンタクトガラスから離れてしまい焦点からずれることにより中央の綴じ代部分では図１１に示すように画像の主走査方向が狭く印刷されていた。
また、従来の複写機では図１２に示すように光源２ａからの受信光を散乱光から得ているため前記図１１に示すように冊子の印刷の際は綴じ代部分において左右の影の出方が異なっていた。
これらの問題を解消するためには冊子を副走査方向に置くことが有効であるが、一般的に走行体２の駆動方向は原稿台１の縦ａと横ｂの辺のうち、長い辺ｂに沿って図９のＢ方向に移動するように設計されているため、Ａ４などの冊子Ｄを広げてスキャンする際、冊子を縦に置くのは不可能である。
また、冊子状の原稿のページ上の画像を印刷する際、通常左上のガラス板の渕に冊子の左上を合わせて印刷するが、その冊子の紙質が弱いと図１０に示すように読取り最小となる頁の一部が中央部で折れ曲がってしまったりするために中央部付近の印刷ができないことがある。
更に、冊子原稿Ｄを印刷する際、従来のスキャナでは中央部分が曲面となることにより図１３に示すように規定の印刷用紙よりも横に圧縮されて印刷され当然全体も横に圧縮されることにより中心がずれて印刷されてしまう。
そこで本発明は、冊子を印刷する際における上下に対する歪みを小さくし、また、中央付近で左右のページでの影の出方が変化するのを防止することを目的とする。
【０００４】
【課題を解決するための手段】
前記の課題を解決するために、請求項１の発明は、原稿を載置する原稿台と、原稿台の縦辺と横辺のうち長い方の辺と直交する方向に移動する走行体と、を有し、冊子原稿をスキャンする場合においても上下端に対して伸縮の程度を少なくして画像を取り込めるようにしたことを特徴とする。
請求項２の発明は、請求項１において、原稿台上に着脱可能な山形の突起部材を備え、冊子原稿を読取る際は冊子原稿の綴じ代部分をこの突起部材の頂部に乗せてスキャンすることにより、中央部分のページのたるみを軽減して中央付近の画像情報を得ることを可能にしたことを特徴とする。
請求項３の発明は、請求項２の突起部材は、前記原稿台下面に設けた収納部内から突出入可能に支持され、収納部内における突起部材の有無を検知するセンサと、該センサからの検知信号によって冊子モードであるか通常モードであるかを判断する制御部と、を備え、該制御部は、冊子モードの際は冊子原稿の中央付近でスキャンしたデータを画像処理にて伸長、フィルタ処理を行い、後続の画像処理部へ渡すようにしたことを特徴とする。
【０００５】
【発明の実施の形態】
以下、図面により本発明の実施の形態を詳細に説明する。請求項１に係る発明の形態例を図１に示す。このスキャナの構成は従来のスキャナと基本構造は同様であるが、従来のスキャナの原稿台１の副走査方向の長さを有して、従来の機械の主走査方向に駆動する走行体２（光源、ミラー等）を備える。即ち、走行体２は、原稿台１の縦辺ａと横辺ｂのうち長い方の横辺ｂに沿った（平行な）長さを有し、且つ長い方の横辺ｂと直交する前後方向方向Ａに駆動されるようになっている。走行体２を構成する図示しない光源からの光は原稿台上の冊子状の原稿Ｄのページ面にて反射し、ミラーを介してレンズ、ＣＣＤに結像される。
このように設計することにより、冊子状の原稿Ｄを印刷する際、冊子原稿Ｄの中央背表紙付近（綴じ代部分）は受光器のＣＣＤの中心部になるため焦点距離のずれによる画像のひずみが小さくなる。
このような構成を備えたスキャナを用いて得た画像データを印刷した結果のイメージを図２に示す。このように本発明のスキャナにより取込んだ図２の画像と従来機で取込んだ図１１の画像を比較すると、冊子に対して綴じ代部分では左右に縮まってしまうが上下（縦方向）に対しての歪みは非常に小さくなる。また、中央付近では受光量の減少により画面が暗くなってしまうが従来機のように左右のページで影の出方が変化することを防ぐことが出来る。
【０００６】
請求項２に係る発明の形態例を図３、図４に示す。原稿台１の横辺ｂ方向中央部に、縦辺ａ方向に延びる突起部材５を設け、この突起部材５を蓋４の下面に設けた同形状の凹所（溝）状の収納部６に収納可能に構成している。突起部材５は断面形状が山形（三角形状）の柱状体であり、その奥端部を蓋４（収納部６）によって上下動可能に支持されている。図３は突起部材５を下方へ突出させて原稿台上に定置した状態を示し、図４は突起部材５を収納部６内に収納した状態を示す。収納部６には突起部材５の有無を検知するセンサ７をつけることによりその突起部材５の使用状況（冊子モードか、通常モードか）を知ることができる。この突起部材５の裏面（下面）は白色とし、印刷される画像の中央部は白色となる。冊子原稿のページ面の画像を印刷する際は図３に示すようにこの突起部材５を原稿台１の方に倒し、図５に示すように冊子原稿Ｄの中央部の綴じ代部分を突起部材５の頂部に当てる。このように冊子原稿Ｄを印刷する際に綴じ代部分を突起部材５に乗せてスキャンすると、中央部分のページのたるみを軽減して中央付近の画像情報を得ることを可能になる
図５に示すように、突起部材５があることにより綴じ代部分を原稿台１に垂直に押すことにより印刷対象ページは固定の左右に力を受けることにより、より中央部までページを開き、かつ折れ曲がりにくくすることが可能となる。また中央部の読取り不可能な領域の画像は突起部材５で切捨てることにより冊子印刷時特有の中央の黒スジを減らすことができる。
【０００７】
請求項３に係る発明の形態例を図６に示す。発光部８と原稿からの反射光を受光部へ送るミラー９を搭載し、原稿台１の長い辺と直交する方向に駆動する走行体２と、ＣＣＤ１０とＣＣＤドライバ１１を搭載した受光部１２と、受信した画像データが冊子モードであるか或いは通常コピーモードであるかを判別する冊子モード検知センサ１３と、モードに合わせて画像処理とメモリ制御を行うＡＳＩＣ１４とデータを蓄えるメモリ１５と作像、転写など通常の印刷を行うエンジン部１６とそれらを制御するＣＰＵ１７により構成される。１８はスキャナ部、１９は印刷部である。
【０００８】
このような構成を備えたスキャナの動作を示すフローチャートを図７に示す。発光部８の点灯を伴う走行体２の移動によるスキャンを開始（ステップＳ１）すると、スキャナの突起部材収納部６にある冊子モード検知センサ７により冊子モードと通常モードを判別する（ステップＳ２）。突起部材５が図３のように収納部６から離脱している場合にはセンサ７により突起部材５を検知できないので、冊子モードであると制御部が判定する。冊子モードの際はステップＳ３により画像を読込んだ後、ステップＳ４にて左右のデータを分離し、冊子固定突起部材の形状に応じた長さ分左右に離して配置する（ステップＳ５）。これに冊子固定突起部材付近の影を取るような画像処理を行い（ステップ６）、印刷エンジン部へ画像データを送り、通常画像処理（ステップＳ７）、作像、印刷（ステップＳ８）を行う。
突起部材５が収納部６内に収納されていることをセンサ７が検知して、冊子モードではない通常の印刷であることを制御部が判定した際は、ステップＳ９により通常の読込み、画処理動作を行う。
上記本発明によれば、冊子モードの際は中央付近でスキャンしたデータを画像処理にて伸長、フィルタ処理を行い、後続の画像処理部へ渡すようにしているので、図８に示すように、冊子原稿Ｄに対して綴じ代部分では左右に縮まってしまうが上下に対しての歪みは非常に小さく、また、中央付近では受光量の減少により画面が暗くなってしまうが従来機のように左右のページで影の出方が変化することもなく、鮮明で見易い印刷結果を得ることができる。
【０００９】
【発明の効果】
請求項１記載の発明によれば、スキャナにより取込んだ画像は、冊子に対して綴じ代部分では左右に縮まってしまうが、従来に比して上下に対しての歪みは非常に小さくなる。また、中央付近では受光量の減少により画面が暗くなってしまうが従来機のように左右のページで影の出方が変化することを防ぐことが出来る。
請求項２記載の発明によれば、突起部材を備えているので綴じ代部分を原稿台に垂直に押すことにより印刷対象ページは固定の左右に力を受け、よって、より中央部までページを開き、かつ折れ曲がりにくくすることが可能となる。また中央部の読取り不可能な領域の画像は突起部材で切捨てることにより冊子印刷時特有の中央の黒スジを減らすことができる。
請求項３記載の発明によれば、突起部材による固定により冊子の中央を知ることが出来、左右のページを区別して認識することが出来る。これにより画像処理を加えて印刷用紙に均等に印刷することが出来るようになる。また、画処理の際のフィルタをかける領域を決めることができ、より精度の高い画処理を加えることが可能となる。
【図面の簡単な説明】
【図１】請求項１記載の発明の形態例を示す概略斜視図である。
【図２】図１の装置による印刷結果のイメージ図である。
【図３】請求項２記載の発明の形態例を示す概略斜視図である。
【図４】図３の突起部材が収納された状態を示す概略斜視図である。
【図５】突起部材に冊子を押付けた状態の正面図である。
【図６】請求項３記載の発明の形態例を示すブロック図である。
【図７】図６の装置のフローチャートである。
【図８】図６の装置による印刷結果を示すイメージ図である。
【図９】従来の一般的な複写機の概略を示す斜視図である。
【図１０】従来の装置で冊子を印刷する状態を示す正面図である。
【図１１】図１０の従来の装置による印刷結果のイメージ図である。
【図１２】従来の装置による冊子のスキャンの状態を示す正面図である。
【図１３】従来の装置による印刷結果を示すイメージ図である。
【符号の説明】
１　　原稿台
２　　走行体
５　　突起部材
６　　収納部
７　　センサ
ａ　　縦
ｂ　　横（長い方の辺）
Ｂ　　駆動方向
【図１】
2004037673.tif 000003
【図２】
2004037673.tif 000004
【図３】
2004037673.tif 000005
【図４】
2004037673.tif 000006
【図５】
2004037673.tif 000007
【図６】
2004037673.tif 000008
【図７】
2004037673.tif 000009
【図８】
2004037673.tif 000010
【図９】
2004037673.tif 000011
【図１０】
2004037673.tif 000012
【図１１】
2004037673.tif 000013
【図１２】
2004037673.tif 000014
【図１３】
2004037673.tif 000015